(57)【特許請求の範囲】
【請求項１】
複数のデジタルオーディオ信号を入力する複数の入力端子と、該複数の入力端子に入力された前記複数のデジタルオーディオ信号に誤りが含まれるか否かをそれぞれ判定する誤り判定手段と、誤りが含まれないと判定された前記デジタルオーディオ信号から１つのデジタルオーディオ信号を選択する信号選択手段と、選択された前記１つのデジタルオーディオ信号からクロック信号を生成するクロック信号生成手段と、生成された前記クロック信号の予め設定されたタイミングで前記複数のデジタルオーディオ信号をそれぞれ受信し、受信された前記複数のデジタルオーディオ信号から複数のオーディオデータをそれぞれ復調するオーディオデータ復調手段と、復調された前記オーディオデータを出力する複数の出力端子とを備えることを特徴とするデジタルオーディオ信号受信装置。
【請求項２】
複数のデジタルオーディオ信号を入力する複数の入力端子と、前記複数のデジタルオーディオ信号がサブコードを有し、前記複数のデジタルオーディオ信号から予め設定されたサブコードをそれぞれ検出するサブコード検出手段と、サブコードが検出されたデジタルオーディオ信号から１つのデジタルオーディオ信号を選択する信号選択手段と、選択された１つのデジタルオーディオ信号からクロック信号を生成するクロック信号生成手段と、生成された前記クロック信号の予め設定されたタイミングで前記複数のデジタルオーディオ信号をそれぞれ受信し、受信された前記複数のデジタルオーディオ信号から複数のオーディオデータをそれぞれ復調するオーディオデータ復調手段と、復調された前記オーディオデータを出力する複数の出力端子とを備えることを特徴とするデジタルオーディオ信号受信装置。
【請求項３】
前記誤り判定手段が、前記複数の入力端子に入力された複数のデジタルオーディオ信号のパリティをそれぞれ検査するパリティ検査部と、検査された検査結果に基いて前記複数のデジタルオーディオ信号に誤りが含まれるか否かをそれぞれ判定する誤り判定部とを備えることを特徴とする請求項１に記載のデジタルオーディオ信号受信装置。
【請求項４】
前記サブコード検出手段が、前記複数のデジタルオーディオ信号に含まれる前記サブコードをそれぞれ検出するサブコード検出部と、前記サブコードの条件を設定するサブコード条件設定手段と、検出された前記サブコードが予め設定されたサブコードの条件に一致するのか否かをそれぞれ判定する条件判定手段とを備えることを特徴とする請求項２に記載のデジタルオーディオ信号受信手段。
【発明の詳細な説明】
【０００１】
【発明の属する技術分野】
本発明は、複数のデジタルオーディオ信号を受信するデジタルオーディオ受信装置に関する。
【０００２】
【従来の技術】
従来のデジタルオーディオ受信装置として、一般に、図５に示す構成のものが知られている。図５に示された従来のデジタルオーディオ受信装置は、複数のデジタルオーディオ信号を入力する複数の入力端子１０と、予め設定された入力端子に入力された１つのデジタルオーディオ信号からクロック信号を生成するクロック信号生成手段２０と、生成されたクロック信号の予め設定されたタイミングで複数のデジタルオーディオ信号をそれぞれ受信し、受信された複数のデジタルオーディオ信号から複数のオーディオデータをそれぞれ復調するオーディオデータ復調手段３０と、復調されたオーディオデータを出力する複数の出力端子４０とを備え、予め設定された入力端子に入力された１つのデジタルオーディオ信号からクロック信号を生成し、生成されたクロック信号に同期して複数のデジタルオーディオ信号を受信し、受信された複数のデジタルオーディオ信号から複数のオーディオデータをそれぞれ復調するようになっている。
【０００３】
【発明が解決しようとする課題】
しかしながら、このような従来のデジタルオーディオ信号受信装置の構成では、入力端子１０に入力されるデジタルオーディオ信号からクロック信号を生成するようになっており、入力端子１０にデジタルオーディオ信号が入力されないときには、クロック信号が生成できないので、入力された複数のデジタルオーディオ信号から複数のオーディオデータを復調することができないという問題があった。
【０００４】
本発明は、このような問題を解決するためになされたもので、複数の入力端子に入力された複数のデジタルオーディオ信号から１つのデジタルオーディオ信号を選択し、選択された１つのデジタルオーディオ信号をソース信号としてクロック信号を生成し、生成されたクロック信号に基いて複数のデジタルオーディオ信号からオーディオデータを復調するデジタルオーディオ信号受信装置を提供することを目的としている。
【０００５】
【課題を解決するための手段】
【０００６】
本発明のデジタルオーディオ信号受信装置は、複数のデジタルオーディオ信号を入力する複数の入力端子と、該複数の入力端子に入力された前記複数のデジタルオーディオ信号に誤りが含まれるか否かをそれぞれ判定する誤り判定手段と、誤りが含まれないと判定された前記デジタルオーディオ信号から１つのデジタルオーディオ信号を選択する信号選択手段と、選択された前記１つのデジタルオーディオ信号からクロック信号を生成するクロック信号生成手段と、生成された前記クロック信号の予め設定されたタイミングで前記複数のデジタルオーディオ信号をそれぞれ受信し、受信された前記複数のデジタルオーディオ信号から複数のオーディオデータをそれぞれ復調するオーディオデータ復調手段とを備える構成を有している。この構成により、複数の入力端子に入力された複数のデジタルオーディオ信号に誤りが含まれるか否かをそれぞれ判定してから、誤りの含まれないデジタルオーディオ信号を１つ選択し、選択された１つのデジタルオーディオ信号をソース信号としてクロック信号を生成するので、生成されたクロック信号に基いて複数のデジタルオーディオ信号からオーディオデータを復調することができる。
【０００７】
また、本発明のデジタルオーディオ信号受信装置は、複数のデジタルオーディオ信号を入力する複数の入力端子と、前記複数のデジタルオーディオ信号がサブコードを有し、前記複数のデジタルオーディオ信号から予め設定されたサブコードをそれぞれ検出するサブコード検出手段と、サブコードが検出されたデジタルオーディオ信号から１つのデジタルオーディオ信号を選択する信号選択手段と、選択された１つのデジタルオーディオ信号からクロック信号を生成するクロック信号生成手段と、生成された前記クロック信号の予め設定されたタイミングで前記複数のデジタルオーディオ信号をそれぞれ受信し、受信された前記複数のデジタルオーディオ信号から複数のオーディオデータをそれぞれ復調するオーディオデータ復調手段とを備える構成を有している。この構成により、複数の入力端子に入力された複数のデジタルオーディオ信号に含まれるサブコードを検出してから、予め設定されたサブコードを含むデジタルオーディオ信号を１つ選択し、選択された１つのデジタルオーディオ信号をソース信号としてクロック信号を生成するので、生成されたクロック信号に基いて複数のデジタルオーディオ信号からオーディオデータを復調することができる。
【００１２】
また、本発明のデジタルオーディオ信号受信装置は、前記誤り判定手段が、前記複数の入力端子に入力された複数のデジタルオーディオ信号のパリティをそれぞれ検査するパリティ検査部と、検査された検査結果に基いて前記複数のデジタルオーディオ信号に誤りが含まれるか否かをそれぞれ判定する誤り判定部とを備える構成を有している。この構成により、複数の入力端子に入力された複数のデジタルオーディオ信号のパリティをそれぞれ検出するので、誤りが含まれていないデジタルオーディオ信号を選択することができる。
【００１３】
また、本発明のデジタルオーディオ信号受信装置は、前記サブコード検出手段が、前記複数のデジタルオーディオ信号に含まれる前記サブコードをそれぞれ検出するサブコード検出部と、前記サブコードの条件を設定するサブコード条件設定手段と、検出された前記サブコードが予め設定されたサブコードの条件に一致するのか否かをそれぞれ判定する条件判定手段とを備える構成を有している。この構成により、複数のデジタルオーディオ信号に含まれるサブコードと予め設定されたサブコードの条件に一致するデジタルオーディオ信号を検出するので、予め設定されたサブコードを含むデジタルオーディオ信号を選択することができる。
【００１４】
【発明の実施の形態】
以下、本発明の実施の形態のデジタルオーディオ信号受信装置について、図面を参照しながら説明する。
【００１５】
（実施の形態１）
図１は、本発明の第1の実施の形態のデジタルオーディオ信号受信装置１００のブロック図である。
【００１６】
図１に示された本発明の第1の実施の形態のデジタルオーディオ信号受信装置１００は、複数のＡＥＳ／ＥＢＵデジタルオーディオ信号を入力する複数の入力端子１１０と、これら複数の入力端子１１０に複数のＡＥＳ／ＥＢＵデジタルオーディオ信号が入力されたか否かをそれぞれ判定する入力判定手段１２０と、判定された判定結果に基づいて入力されたＡＥＳ／ＥＢＵデジタルオーディオ信号から１つのＡＥＳ／ＥＢＵデジタルオーディオ信号を選択信号選択手段１３０と、選択された１つのＡＥＳ／ＥＢＵデジタルオーディオ信号からクロック信号を生成するクロック信号生成手段１４０と、生成されたクロック信号の予め設定された複数のタイミングで複数のＡＥＳ／ＥＢＵデジタルオーディオ信号を受信し、受信された複数のＡＥＳ／ＥＢＵデジタルオーディオ信号から複数のオーディオデータを復調するオーディオデータ復調手段１５０と、復調されたオーディオデータを出力する複数の出力端子１６０とを備えている。
【００１７】
ここで、ＡＥＳ／ＥＢＵとは、音響技術専門機関（Audio Engineering Society）とヨーロッパ放送連合（European Broadcast Union）とにより統一されたプロフェッショナル・デジタルオーディオ信号の伝送に関する統一規格であり、この統一規格に準拠するデジタルオーディオ信号をＡＥＳ／ＥＢＵデジタルオーディオ信号という。
【００１８】
また、複数のＡＥＳ／ＥＢＵデジタルオーディオ信号が、ハイレベル状態とローレベル状態とを含む複数の状態を有し、入力判定手段１２０が、複数のＡＥＳ／ＥＢＵデジタルオーディオ信号のハイレベル状態とローレベル状態との間の状態変化をそれぞれ検出する状態変化検出部１２１と、検出された検出結果に基づいて複数の入力端子に複数のＡＥＳ／ＥＢＵデジタルオーディオ信号がそれぞれ入力されたか否かを判定する信号判定部１２２とを備えている。
【００１９】
また、入力判定手段１２０が、複数のＡＥＳ／ＥＢＵデジタルオーディオ信号のローレベル状態からハイレベル状態に立上る状態変化をそれぞれ検出する立上り検出部１２３と、検出された検出結果に基づいて複数の入力端子に複数のＡＥＳ／ＥＢＵデジタルオーディオ信号がそれぞれ入力されたか否かを判定する信号判定部１２４とを備え、複数のＡＥＳ／ＥＢＵデジタルオーディオ信号のローレベル状態からハイレベル状態に立上る状態変化のみを検出するよう構成してもよい。
【００２０】
また、入力判定手段１２０が、複数のＡＥＳ／ＥＢＵデジタルオーディオ信号のハイレベル状態からローレベル状態に立下る状態変化をそれぞれ検出する立下り検出部１２４と、検出された検出結果に基づいて複数の入力端子に複数のＡＥＳ／ＥＢＵデジタルオーディオ信号がそれぞれ入力されたか否かを判定する信号判定部１２５とを備え、複数のＡＥＳ／ＥＢＵデジタルオーディオ信号のハイレベル状態からローレベル状態に立下る状態変化のみを検出するよう構成してもよい。
【００２１】
次に、本発明の第1の実施の形態のデジタルオーディオ信号受信装置１００の動作を説明する。
【００２２】
まず、入力判定手段１２０により、複数の入力端子１１０に複数のＡＥＳ／ＥＢＵデジタルオーディオ信号が入力されたか否かがそれぞれ判定される。次いで、信号選択手段１３０により、判定された判定結果に基づいて入力されたＡＥＳ／ＥＢＵデジタルオーディオ信号から１つのＡＥＳ／ＥＢＵデジタルオーディオ信号が選択される。次いで、クロック信号生成手段１４０により、選択された１つのＡＥＳ／ＥＢＵデジタルオーディオ信号からクロック信号が生成される。次いで、オーディオデータ復調手段１５０により、生成されたクロック信号の予め設定された複数のタイミングで複数のＡＥＳ／ＥＢＵデジタルオーディオ信号を受信し、受信された複数のＡＥＳ／ＥＢＵデジタルオーディオ信号から複数のオーディオデータを復調し、復調されたオーディオデータが複数の出力端子１６０にそれぞれ出力される。
【００２３】
また、入力判定手段１２０では、状態変化検出部１２１により、複数のＡＥＳ／ＥＢＵデジタルオーディオ信号のハイレベル状態とローレベル状態との間の状態変化がそれぞれ検出され、次いで、信号判定部１２２により、検出された検出結果に基づいて複数の入力端子に複数のＡＥＳ／ＥＢＵデジタルオーディオ信号がそれぞれ入力されたか否かが判定される。
【００２４】
以上のように、本発明の第１の実施の形態のデジタルオーディオ信号受信装置は、複数の入力端子に入力された複数のデジタルオーディオ信号から1つのデジタルオーディオ信号を選択するので、選択されたデジタルオーディオ信号からクロック信号を生成し、生成されたクロック信号に同期して複数のデジタルオーディオ信号を受信し、受信された複数のデジタルオーディオ信号からオーディオデータを復調することができる。
【００２５】
（実施の形態２）
図２は、本発明の第２の実施の形態のデジタルオーディオ信号受信装置のブロック図である。
【００２６】
図２に示された本発明の第２の実施の形態のデジタルオーディオ信号受信装置２００は、複数のＡＥＳ／ＥＢＵデジタルオーディオ信号を入力する複数の入力端子１１０と、これら複数の入力端子１１０に入力された複数のＡＥＳ／ＥＢＵデジタルオーディオ信号に誤りが含まれるか否かをそれぞれ判定する誤り判定手段２２０と、誤りが含まれないと判定されたＡＥＳ／ＥＢＵデジタルオーディオ信号から１つのＡＥＳ／ＥＢＵデジタルオーディオ信号を選択する信号選択手段２３０と、選択された１つのＡＥＳ／ＥＢＵデジタルオーディオ信号からクロック信号を生成するクロック信号生成手段２４０と、生成されたクロック信号の予め設定されたタイミングで複数のＡＥＳ／ＥＢＵデジタルオーディオ信号をそれぞれ受信し、受信された複数のＡＥＳ／ＥＢＵデジタルオーディオ信号から複数のオーディオデータをそれぞれ復調するオーディオデータ復調手段２５０と、復調されたオーディオデータを出力する複数の出力端子１６０とを備えている。
【００２７】
また、誤り判定手段２２０が、複数の入力端子に入力された複数のＡＥＳ／ＥＢＵデジタルオーディオ信号のパリティをそれぞれ検査するパリティ検査部２２１と、検査された検査結果に基いて複数のＡＥＳ／ＥＢＵデジタルオーディオ信号に誤りが含まれるか否かをそれぞれ判定する誤り判定部２２２とを備えている。
【００２８】
次に、本発明の第２の実施の形態のデジタルオーディオ信号受信装置２００の動作を説明する。
【００２９】
まず、誤り判定手段２２０により、複数の入力端子１１０に入力された複数のＡＥＳ／ＥＢＵデジタルオーディオ信号に誤りが含まれるか否かがそれぞれ判定される。次いで、信号選択手段２３０により、判定された判定結果に基づいて入力されたＡＥＳ／ＥＢＵデジタルオーディオ信号から１つのＡＥＳ／ＥＢＵデジタルオーディオ信号が選択される。次いで、クロック信号生成手段２４０により、選択された１つのＡＥＳ／ＥＢＵデジタルオーディオ信号からクロック信号が生成される。次いで、オーディオデータ復調手段２５０により、生成されたクロック信号の予め設定された複数のタイミングで複数のＡＥＳ／ＥＢＵデジタルオーディオ信号を受信し、受信された複数のＡＥＳ／ＥＢＵデジタルオーディオ信号から複数のオーディオデータを復調し、復調されたオーディオデータが複数の出力端子１６０にそれぞれ出力される。
【００３０】
以上のように、本発明の第２の実施の形態のデジタルオーディオ信号受信装置は、複数の入力端子に入力された複数のデジタルオーディオ信号から1つのデジタルオーディオ信号を選択するとき、選択された1つのデジタルオーディオ信号のパリティを検査し、符号誤りがないことを判定するので、符号誤りのないデジタルオーディオ信号からクロック信号を生成し、生成されたクロック信号に同期して複数のデジタルオーディオ信号を受信し、受信された複数のデジタルオーディオ信号からオーディオデータを復調することができる。
【００３１】
（実施の形態３）
図３は、本発明の第３の実施の形態のデジタルオーディオ信号受信装置のブロック図である。
【００３２】
図３に示された本発明の第３の実施の形態のデジタルオーディオ信号受信装置３００は、複数のＡＥＳ／ＥＢＵデジタルオーディオ信号を入力する複数の入力端子１１０と、複数のＡＥＳ／ＥＢＵデジタルオーディオ信号がサブコードを有し、入力された複数のＡＥＳ／ＥＢＵデジタルオーディオ信号から予め設定されたサブコードをそれぞれ検出するサブコード検出手段３２０と、サブコードが検出されたＡＥＳ／ＥＢＵデジタルオーディオ信号から１つのＡＥＳ／ＥＢＵデジタルオーディオ信号を選択する信号選択手段３３０と、選択された１つのＡＥＳ／ＥＢＵデジタルオーディオ信号からクロック信号を生成するクロック信号生成手段３４０と、生成されたクロック信号の予め設定されたタイミングで複数のＡＥＳ／ＥＢＵデジタルオーディオ信号をそれぞれ受信し、受信された複数のＡＥＳ／ＥＢＵデジタルオーディオ信号から複数のオーディオデータをそれぞれ復調するオーディオデータ復調手段３５０と、復調されたオーディオデータを出力する複数の出力端子１６０とを備えている。
【００３３】
また、サブコード検出手段３２０が、複数のＡＥＳ／ＥＢＵデジタルオーディオ信号に含まれるサブコードをそれぞれ検出するサブコード検出部３２１と、サブコードの条件を設定するサブコード条件設定部３２２と、検出されたサブコードが予め設定されたサブコードの条件に一致するのか否かをそれぞれ判定する条件判定部３２３とを備えている。
【００３４】
次に、本発明の第３の実施の形態のデジタルオーディオ信号受信装置３００の動作を説明する。
【００３５】
まず、サブコード検出手段３２０により、入力端子１１０に入力された複数のＡＥＳ／ＥＢＵデジタルオーディオ信号から予め設定されたサブコードがそれぞれ検出される。次いで、信号選択手段３３０により、判定された判定結果に基づいて入力されたＡＥＳ／ＥＢＵデジタルオーディオ信号から１つのＡＥＳ／ＥＢＵデジタルオーディオ信号が選択される。次いで、クロック信号生成手段３４０により、選択された１つのＡＥＳ／ＥＢＵデジタルオーディオ信号からクロック信号が生成される。次いで、オーディオデータ復調手段３５０により、生成されたクロック信号の予め設定された複数のタイミングで複数のＡＥＳ／ＥＢＵデジタルオーディオ信号を受信し、受信された複数のＡＥＳ／ＥＢＵデジタルオーディオ信号から複数のオーディオデータを復調し、復調されたオーディオデータが複数の出力端子１６０にそれぞれ出力される。
【００３６】
以上のように、本発明の第３の実施の形態のデジタルオーディオ信号受信装置は、入力された複数のデジタルオーディオ信号に予め設定されたサブコードが含まれるか否かを判定するので、予め設定されたサブコードが含まれる１つのデジタルオーディオ信号を選択し、予め設定されたサブコードが含まれるデジタルオーディオ信号からクロック信号を生成し、生成されたクロック信号に同期して複数のデジタルオーディオ信号を受信し、オーディオデータを復調することができる。
【００３７】
（実施の形態４）
図４は、本発明の第４の実施の形態のデジタルオーディオ信号受信装置のブロック図である。
【００３８】
図４に示された本発明の第４の実施の形態のデジタルオーディオ信号受信装置４００は、複数のＡＥＳ／ＥＢＵデジタルオーディオ信号を入力する複数の入力端子１１０と、これら複数の入力端子１１０に入力された複数のＡＥＳ／ＥＢＵデジタルオーディオ信号から１つのＡＥＳ／ＥＢＵデジタルオーディオ信号を選択するよう設定する信号設定手段４２０と、設定された１つのＡＥＳ／ＥＢＵデジタルオーディオ信号を選択する信号選択手段４３０と、選択された１つのＡＥＳ／ＥＢＵデジタルオーディオ信号からクロック信号を生成するクロック信号生成手段４４０と、生成されたクロック信号の予め設定されたタイミングで複数のＡＥＳ／ＥＢＵデジタルオーディオ信号をそれぞれ受信し、受信された複数のＡＥＳ／ＥＢＵデジタルオーディオ信号から複数のオーディオデータをそれぞれ復調するオーディオデータ復調手段４５０と、復調されたオーディオデータを出力する複数の出力端子１６０とを備えている。
【００３９】
次に、本発明の第４の実施の形態のデジタルオーディオ信号受信装置４００の動作を説明する。
【００４０】
まず、信号設定手段４２０により、入力端子１１０に入力された複数のＡＥＳ／ＥＢＵデジタルオーディオ信号から１つのＡＥＳ／ＥＢＵデジタルオーディオ信号が選択されるよう設定する。次いで、信号選択手段４３０により、設定に基づいて入力されたＡＥＳ／ＥＢＵデジタルオーディオ信号から１つのＡＥＳ／ＥＢＵデジタルオーディオ信号が選択される。次いで、クロック信号生成手段４４０により、選択された１つのＡＥＳ／ＥＢＵデジタルオーディオ信号からクロック信号が生成される。次いで、オーディオデータ復調手段４５０により、生成されたクロック信号の予め設定された複数のタイミングで複数のＡＥＳ／ＥＢＵデジタルオーディオ信号を受信し、受信された複数のＡＥＳ／ＥＢＵデジタルオーディオ信号から複数のオーディオデータを復調し、復調されたオーディオデータが複数の出力端子１６０にそれぞれ出力される。
【００４１】
以上のように、本発明の第４の実施の形態のデジタルオーディオ信号受信装置は、入力された複数のデジタルオーディオ信号から１つのデジタルオーディオ信号を選択するよう設定するので、設定されたデジタルオーディオ信号からクロック信号を生成し、生成されたクロック信号に同期して複数のデジタルオーディオ信号を受信し、オーディオデータを復調することができる。
【００４２】
【発明の効果】
以上説明したように、本発明のデジタルオーディオ信号受信装置によれば、複数の入力端子に入力された複数のデジタルオーディオ信号から1つのデジタルオーディオ信号を選択し、選択された1つのデジタルオーディオ信号からクロックを生成するので、任意の入力端子に入力されたデジタルオーディオ信号を受信し、受信されたデジタルオーディオ信号からデジタルオーディオデータを復調することができる。
【図面の簡単な説明】
【図１】本発明の第１の実施形態におけるデジタルオーディオ信号受信装置のブロック図
【図２】本発明の第２の実施形態におけるデジタルオーディオ信号受信装置のブロック図
【図３】本発明の第３の実施形態におけるデジタルオーディオ信号受信装置のブロック図
【図４】本発明の第４の実施形態におけるデジタルオーディオ信号受信装置のブロック図
【図５】従来のデジタルオーディオ信号受信装置のブロック図
【符号の説明】
１００、２００、３００、４００  デジタルオーディオ信号受信装置
１１０  入力端子
１２０  入力判定手段
２２０  誤り判定手段
３２０  サブコード検出手段
４２０  信号設定手段
１３０、２３０、３３０、４３０  信号選択手段
１４０、２４０、３４０、４４０  クロック信号生成手段
１５０、２５０、３５０、４５０  オーディオデータ復調手段
１６０  出力端子
１２１  状態変化検出部
１２２  立上り検出部
１２３  立下り検出部
１２４  信号判定部
２２１  パリティ検査部
２２２  誤り判定部
３２１  サブコード検出部
３２２  サブコード条件設定部
３２３  条件判定部
【図１】
0004065717.tif 000002
【図２】
0004065717.tif 000003
【図３】
0004065717.tif 000004
【図４】
0004065717.tif 000005
【図５】
0004065717.tif 000006